(57)【要約】【課題】タッチミスの発生を抑制することができる表示装置及び該表示装置を備えた電子機器を提供する。【解決手段】カメラ１１のカメラ本体１２は、アイコン画像１９ａ〜１９ｇを表示可能なモニタ１６と、モニタ１６に重ねて配置されるとともにアイコン画像１９ａ〜１９ｇと対応するタッチ検知領域１８ａ〜１８ｇが設けられるタッチパネル１７と、タッチパネル１７におけるタッチ検知領域１８ａ〜１８ｇの位置を設定する位置設定部とを備える。位置設定部は、モニタ１６におけるアイコン画像１９ａ〜１９ｇの表示領域に対するタッチパネル１７におけるタッチ検知領域１８ａ〜１８ｇの相対位置を使用状況に応じて変更する。【選択図】図３
2011138185.tif 000002
【特許請求の範囲】
【請求項１】
操作用表示要素を表示可能な表示部と、
該表示部に重ねて配置されるとともに前記操作用表示要素と対応するタッチ検知領域が設けられるタッチセンサと、
該タッチセンサにおける前記タッチ検知領域の位置を設定する位置設定手段とを備え、
該位置設定手段は、前記表示部における前記操作用表示要素の表示領域に対する前記タッチセンサにおける前記タッチ検知領域の相対位置を使用状況に応じて変更することを特徴とする表示装置。
【請求項２】
請求項１に記載の表示装置において、
前記操作用表示要素の表示領域に対する前記タッチ検知領域の相対位置を示す配置マップであって前記相対位置が異なる複数の配置マップを記憶した配置マップ記憶手段を更に備え、
前記位置設定手段は、前記配置マップ記憶手段に記憶されている複数の配置マップのうちから選択した配置マップに基づいて、前記タッチ検知領域の相対位置を変更することを特徴とする表示装置。
【請求項３】
請求項２に記載の表示装置において、
ユーザによる使用状況を外部からの操作に基づき設定可能とする使用状況設定手段を更に備え、
前記位置設定手段は、前記使用状況設定手段による設定内容に応じて前記配置マップを選択することを特徴とする表示装置。
【請求項４】
請求項２又は請求項３に記載の表示装置において、
前記表示部の姿勢を検知する姿勢センサを更に備え、
前記位置設定手段は、前記姿勢センサの検知結果に応じて前記配置マップを選択することを特徴とする表示装置。
【請求項５】
請求項１乃至４のうちいずれか一項に記載の表示装置において、
前記タッチセンサに対するタッチ位置を記憶するタッチ位置記憶手段を更に備え、
前記位置設定手段は、前記タッチ位置記憶手段に記憶された前記タッチ位置の前記表示領域に対するずれ量に基づいて、前記タッチ検知領域の相対位置を変更することを特徴とする表示装置。
【請求項６】
請求項１乃至５のうちいずれか一項に記載の表示装置において、
前記タッチセンサのタッチ検知領域に対するペンタッチ操作態様での使用可能に設けられたペン型入力装置と、
該ペン型入力装置の使用可能状態を検知する使用可能状態検知手段とを更に備え、
前記位置設定手段は、前記使用可能状態検知手段が前記ペン型入力装置の使用可能状態を検知した場合には、前記表示領域と前記タッチ検知領域とを一致させることを特徴とする表示装置。
【請求項７】
請求項１乃至６のうちいずれか一項に記載の表示装置を備えることを特徴とする電子機器。
【発明の詳細な説明】
【技術分野】
【０００１】
本発明は、表示装置及び該表示装置を備えた電子機器に関する。
【背景技術】
【０００２】
従来、デジタルカメラ、携帯電話、音楽プレーヤ、ゲーム機、フォトビューア等の電子機器には、モニタ（表示部）にタッチパネル（タッチセンサ）が重ねて配置された表示装置を備えたものがあった（例えば、特許文献１）。
【０００３】
そして、特許文献１では、携帯型機器（電子機器）を把持した手の親指でタッチパネルをタッチ操作することを想定し、モニタに表示される操作用表示要素（例えばアイコン画像）の形状や配置を、親指の形や長さに応じて変化させていた。
【先行技術文献】
【特許文献】
【０００４】
【特許文献１】特開２００９−１６３２７８号公報
【発明の概要】
【発明が解決しようとする課題】
【０００５】
しかし、主に親指でタッチ操作する場合、意図した位置を正確にタッチすることが難しく、タッチした位置がアイコン画像からずれてタッチパネルが反応しない、というタッチミスが発生することがあった。
【０００６】
本発明は上記問題点に鑑みてなされたものであって、その目的は、タッチミスの発生を抑制することができる表示装置及び該表示装置を備えた電子機器を提供することにある。
【課題を解決するための手段】
【０００７】
上記問題点を解決するために、本発明の表示装置は、操作用表示要素を表示可能な表示部と、該表示部に重ねて配置されるとともに前記操作用表示要素と対応するタッチ検知領域が設けられるタッチセンサと、該タッチセンサにおける前記タッチ検知領域の位置を設定する位置設定手段とを備え、該位置設定手段は、前記表示部における前記操作用表示要素の表示領域に対する前記タッチセンサにおける前記タッチ検知領域の相対位置を使用状況に応じて変更することを要旨とする。
【０００８】
本発明の表示装置では、前記操作用表示要素の表示領域に対する前記タッチ検知領域の相対位置を示す配置マップであって前記相対位置が異なる複数の配置マップを記憶した配置マップ記憶手段を更に備え、前記位置設定手段は、前記配置マップ記憶手段に記憶されている複数の配置マップのうちから選択した配置マップに基づいて、前記タッチ検知領域の相対位置を変更することが好ましい。
【０００９】
本発明の表示装置では、ユーザによる使用状況を外部からの操作に基づき設定可能とする使用状況設定手段を更に備え、前記位置設定手段は、前記使用状況設定手段による設定内容に応じて前記配置マップを選択することが好ましい。
【００１０】
本発明の表示装置では、前記表示部の姿勢を検知する姿勢センサを更に備え、前記位置設定手段は、前記姿勢センサの検知結果に応じて前記配置マップを選択することが好ましい。
【００１１】
本発明の表示装置では、前記タッチセンサに対するタッチ位置を記憶するタッチ位置記憶手段を更に備え、前記位置設定手段は、前記タッチ位置記憶手段に記憶された前記タッチ位置の前記表示領域に対するずれ量に基づいて、前記タッチ検知領域の相対位置を変更することが好ましい。
【００１２】
本発明の表示装置では、前記タッチセンサのタッチ検知領域に対するペンタッチ操作態様での使用可能に設けられたペン型入力装置と、該ペン型入力装置の使用可能状態を検知する使用可能状態検知手段とを更に備え、前記位置設定手段は、前記使用可能状態検知手段が前記ペン型入力装置の使用可能状態を検知した場合には、前記表示領域と前記タッチ検知領域とを一致させることが好ましい。
【００１３】
上記問題点を解決するために、本発明の電子機器は、上記表示装置を備えることを要旨とする。
【発明の効果】
【００１４】
本発明によれば、タッチミスの発生を抑制することができる表示装置及び該表示装置を備えた電子機器を提供することができる。
【図面の簡単な説明】
【００１５】
【図１】電子カメラの背面図。
【図２】電子カメラの電気的構成を示すブロック図。
【図３】電子カメラの構成を説明するための模式図。
【図４】右利き且つ正位置用の配置マップの説明図。
【図５】右利き且つ縦位置用の配置マップの説明図。
【図６】左利き且つ正位置用の配置マップの説明図。
【図７】左利き且つ縦位置用の配置マップの説明図。
【図８】配置マップに基づくタッチ検知領域設定処理に関するフローチャート。
【図９】（ａ）タッチ検知領域が変更される前の状態についての説明図、（ｂ）はタッチ検知領域が変更された後の状態についての説明図。
【図１０】タッチ検知領域自動設定処理に関するフローチャート。
【発明を実施するための形態】
【００１６】
（第１実施形態）
以下、本発明の電子機器を電子カメラ（デジタルカメラ）に具体化した第１実施形態を図１〜図８に基づいて説明する。図１は、デジタルカメラの背面図を示す。
【００１７】
図１に示すように、本実施形態のデジタルカメラ（以下、単に「カメラ１１」という）は、表示装置としても機能するカメラ本体１２を有している。略直方体形状をなすカメラ本体１２の前面側には撮像レンズ部１３（図２参照）が設けられている。
【００１８】
カメラ本体１２の上面側には、電源ボタン１４及びレリーズボタン１５が設けられている。電源ボタン１４は、カメラ１１を電源オン状態とするときにユーザにより押し下げ操作（すなわち、オン操作）される操作ボタンである。レリーズボタン１５は、カメラ１１に撮像動作を開始させるときにユーザにより押し下げ操作される操作ボタンである。なお、電源ボタン１４及びレリーズボタン１５は、ユーザがカメラ本体１２の右側を把持して操作することを想定して、カメラ本体１２の背面側に向かって右側寄りの位置に配置されている。
【００１９】
カメラ本体１２の背面側には、表示部としての矩形状をなす液晶表示のモニタ１６が設けられている。モニタ１６はカメラ本体１２の背面側に向かって左側寄りに配置されているとともに、モニタ１６の右側にはユーザが把持するためのスペースが確保されている。また、カメラ本体１２及びモニタ１６は縦横比が異なり、カメラ本体１２及びモニタ１６が横長となる正位置でもカメラ本体１２及びモニタ１６が縦長となる縦位置でも操作を行うことができるようになっている。
【００２０】
モニタ１６には、タッチセンサとしてのタッチパネル１７が重ねて配置されている。タッチパネル１７には、複数のタッチ検知領域１８が設定される。また、モニタ１６にはタッチ操作用表示要素としてのアイコン画像１９が表示される。そして、タッチ検知領域１８はアイコン画像１９と対応する位置に設定される。
【００２１】
カメラ本体１２には、背面側における右下位置に操作部２０が配置されている。操作部２０には、撮影モードボタン２１及び再生ボタン２２が設けられている。そして、ユーザがモニタ１６に表示されたアイコン画像１９を目印としてタッチ検知領域１８をタッチ操作したり、操作部２０の各ボタンを押し操作したりすることで、各種の操作が実行されるようになっている。
【００２２】
カメラ本体１２の右側には、ペン型入力装置としてのスタイラスペン２３を格納するための格納部２４が設けられている。スタイラスペン２３は、タッチパネル１７のタッチ検知領域１８に対してペンタッチ操作態様での使用可能に設けられたもので、手指よりも細いペン先でピンポイントにタッチ操作を行うことができるものである。また、格納部２４の内部には、スタイラスペン２３の挿抜を検知する使用可能状態検知手段としての挿抜検知スイッチ２５が配置されている。
【００２３】
次に、本実施形態のカメラ１１における回路構成を図２のブロック図に基づいて説明する。
図２に示すように、カメラ１１はＭＰＵ（Ｍｉｃｒｏ Ｐｒｏｃｅｓｓｉｎｇ Ｕｎｉｔ）３０、撮像素子３１、信号処理回路３２、不揮発性メモリ３３、ＲＡＭ３４、カードスロット３５及び姿勢センサ３６を備えている。
【００２４】
ＭＰＵ３０は、電源ボタン１４、レリーズボタン１５、モニタ１６、タッチパネル１７、操作部２０及び挿抜検知スイッチ２５等と接続されてカメラ１１における各種動作を統括的に制御する。また、ＭＰＵ３０は、所定の画像処理を行うための画像処理部３７及びタッチパネル１７におけるタッチ検知領域１８の位置を設定する位置設定部３８を内蔵している。
【００２５】
撮像素子３１は、撮像レンズ部１３のレンズ群（図２では図面の簡略化のため１つのみ図示）を通過した被写体光を撮像レンズ部１３の像空間側において結像させる。そして、撮像素子３１は撮像面に結像した被写体像に対応した信号電荷を蓄積し、その蓄積した信号電荷を画素信号と呼ばれるアナログ信号として出力する。
【００２６】
撮像素子３１の出力側には、信号処理回路３２が直列に接続されている。信号処理回路３２は、ＡＦＥ（ＡｎａｌｏｇＦｒｏｎｔ Ｅｎｄ）部とＡ／Ｄ変換器とを有している。ＡＦＥ部は、撮像素子３１で光電変換されて出力されたアナログ信号からなる画素信号を所定のタイミングでサンプリング（相関二重サンプリング）して、例えばＩＳＯ感度に基づく所定の信号レベルとなるように増幅する。Ａ／Ｄ変換器は、ＡＦＥ部から出力された増幅後の画素信号（アナログ信号）をデジタル信号に変換し、このデジタル画素信号をＭＰＵ３０に出力する。
【００２７】
画像処理部３７は、信号処理回路３２から入力したデジタル画素信号に対して、色補間処理、階調補正、ホワイトバランス処理及び輪郭補償等の画像処理を施すことにより所定の画像データを生成する。
【００２８】
ＲＡＭ３４は、バッファメモリとして機能するＤＲＡＭ等により構成され、画像処理部３７において生成された画像データ等を一時的に記憶する。
メモリカード３９は、カードスロット３５を介してカメラ１１に着脱可能とされた記憶媒体である。そして、ＭＰＵ３０がＲＡＭ３４から画像データを読出して画像ファイルを生成すると、生成された画像ファイルはメモリカード３９に記憶される。一方、ＭＰＵ３０がメモリカード３９から画像データを読出すと、伸張処理を施した後の画像データがＲＡＭ３４に記憶され、ＬＣＤ駆動回路（図示省略）を介してモニタ１６に表示される。
【００２９】
不揮発性メモリ３３には、ＭＰＵ３０が各種制御（例えば撮影制御、データ処理制御、表示制御など）を行うための制御プログラム等が記憶されている。
挿抜検知スイッチ２５は、格納部２４にスタイラスペン２３が格納されると、スタイラスペン２３によってオン操作が実行され、ＭＰＵ３０にＯＮ信号を出力するようになっている。すなわち、挿抜検知スイッチ２５によってスタイラスペン２３の挿抜が検出されるので、スタイラスペン２３が抜き出されて挿抜検知スイッチ２５がオフの状態になると、スタイラスペン２３が使用可能状態になっていることが検知される。
【００３０】
姿勢センサ３６は、カメラ本体１２の重力方向に対する向きを検出するためのセンサで、移動自在に内蔵されたボールの位置を検出して検出信号をＭＰＵ３０に出力する。これにより、姿勢センサ３６によってカメラ本体１２及びモニタ１６の姿勢、すなわち横長の正位置で使用されているか縦長の縦位置で使用されているかが検知される。なお、姿勢センサ３６は加速度センサによって構成するようにしてもよい。
【００３１】
ＭＰＵ３０は、モニタ１６の姿勢によって、モニタ１６に表示する背景画像Ｐ（例えばメモリカード３９から読み出された画像や撮影時の被写体像など、図１参照）の向きやアイコン画像１９の配置を変更する制御を行う。例えば、ユーザがカメラ本体１２の姿勢を正位置から縦位置に変化させると、モニタ１６の姿勢も変化して背景画像Ｐ等が横向きになって見にくくなるので、こうした姿勢の変化を検知すると、ＭＰＵ３０は背景画像Ｐ等を９０度回転させて表示する。
【００３２】
タッチパネル１７は、ユーザによるタッチ検知領域１８に対するタッチ位置に応じた入力信号をＭＰＵ３０に出力する。また、位置設定部３８は、タッチパネル１７におけるタッチ検知領域１８の位置を設定する。例えば、撮影を行う画面や撮影画像の確認画面、更に各種機能についてのユーザ設定画面などの各画面において、ＭＰＵ３０がモニタ１６に表示するアイコン画像１９の表示領域を変更すると、位置設定部３８がアイコン画像１９の表示領域と重なるように、対応するタッチ検知領域１８の設定位置を変更する。
【００３３】
本実施形態において、タッチパネル１７及びＭＰＵ３０は、ユーザによる使用状況を外部からの操作に基づき設定可能とする使用状況設定手段を構成する。すなわち、カメラ１１においては、カメラ本体１２の背面側に大きなモニタ１６を配置するために操作部２０に配置する操作ボタンを減らす一方、タッチパネル１７を介して様々な設定操作を行うようになっている。
【００３４】
例えば、カメラ１１ではユーザによる使用状況として、ユーザの利き手（右利きか左利きかか）が設定できるようになっている。利き手に関するユーザ設定画面では、ＭＰＵ３０が利き手設定ボタンを図案化したアイコン画像１９をモニタ１６に表示し、位置設定部３８が対応する位置にタッチ検知領域１８を設定する。そして、ユーザがアイコン画像１９を目印としてタッチ検知領域１８をタッチ操作すると、タッチ検知領域１８に応じた入力信号がＭＰＵ３０に出力される。
【００３５】
ここで、アイコン画像１９の形状や配置は、モニタ１６に表示される背景画像Ｐとの重なりや画面構成のバランス等を考慮して画面毎にデザインされる。例えば、図３に示すように、モニタ１６の外縁付近に沿って配置された配置領域４０（４０Ｌ，４０Ｒ）内に収まるように複数のアイコン画像１９（１９ａ〜１９ｋ）が整列配置される。
【００３６】
配置領域４０は、タッチパネル１７に対してはタッチ検知領域１８を設定しうる領域ともいえ、例えば背景画像Ｐの中央を避けてその周辺に配置される。また、アイコン画像１９は、その図案に応じて例えば円形や星形など任意の形状に設定されるので、必ずしもその表示領域とタッチ検知領域１８とが完全に一致する必要はないが、タッチ検知領域１８は目印となるアイコン画像１９の表示領域と少なくとも一部が重なるように設定される。
【００３７】
ところで、図３に示すように、ユーザがカメラ本体１２を両手で把持した状態では、把持した手の親指でタッチパネル１７に対するタッチ操作が行われる。そのため、アイコン画像１９及びタッチ検知領域１８は、ユーザが親指で操作しやすい位置に配置するのが好ましいが、操作しやすい位置はユーザの利き手や手の大きさ、更にカメラ本体１２及びモニタ１６の姿勢等によって異なる。
【００３８】
そこで、本実施形態のカメラ１１においては、使用状況に応じてアイコン画像１９の表示領域に対してタッチ検知領域１８をずらして配置（オフセット配置）することで、アイコン画像１９の表示状態を維持しつつ、タッチ操作の操作性向上を図っている。
【００３９】
具体的には、配置マップ記憶手段として機能する不揮発性メモリ３３に、アイコン画像１９の表示領域に対するタッチ検知領域１８の相対位置が異なる複数の配置マップＭが記憶されている。そして、複数の配置マップＭのうちから選択した配置マップＭに基づいて、位置設定部３８がアイコン画像１９の表示領域に対するタッチ検知領域１８の相対位置を使用状況に応じて変更するようになっている。
【００４０】
本実施形態においては、配置マップＭとして、アイコン画像１９の表示領域と対応するタッチ検知領域１８が一致した配置マップＭ０に加え、利き手設定の設定内容（右利き又は左利き）とモニタ１６の姿勢（正位置又は縦位置）との組み合わせに対応するように、相対位置が異なる４つの配置マップＭ１〜Ｍ４（図４〜図７参照）が用意されている。そして、位置設定部３８はユーザの利き手設定の設定内容と姿勢センサ３６の検知結果に応じて、配置マップＭを選択する。
【００４１】
具体的には、位置設定部３８は、右利き設定で姿勢が正位置の場合には図４に示す右利き且つ正位置用の配置マップＭ１を選択し、右利き設定で姿勢が縦位置の場合には図５に示す右利き且つ縦位置用の配置マップＭ２を選択する。また、位置設定部３８は、左利き設定で姿勢が正位置の場合には図６に示す左利き且つ正位置用の配置マップＭ３を選択し、左利き設定で姿勢が縦位置の場合には図４に示す左利き且つ縦位置用の配置マップＭ４を選択する。
【００４２】
なお、正位置用の配置マップＭ１，Ｍ３においては、左側の配置領域４０Ｌに割り振られたタッチ検知領域１８は、左手の親指でタッチ操作することを想定して、対応するアイコン画像１９に対して左斜め下方向にオフセットされている。一方、右側の配置領域４０Ｒに割り振られたタッチ検知領域１８は、右手の親指でタッチ操作することを想定して、対応するアイコン画像１９に対して右斜め下方向にオフセットされている。
【００４３】
これに対して、縦位置の姿勢でカメラ本体１２を使用する場合には、左右方向が短手方向となるために正位置の場合と比べて真ん中まで親指が届き易いと考えられる。そのため、縦位置用の配置マップＭ２，Ｍ４においては、利き手でない方の配置領域４０の中で最も届きにくいタッチ検知領域１８（配置マップＭ２におけるタッチ検知領域１８ｅ、配置マップＭ４におけるタッチ検知領域１８ｇ）は、対応するアイコン画像１９（１９ｅ、１９ｇ）に対して下方向にのみオフセットされている。
【００４４】
なお、配置マップＭ２において、タッチ検知領域１８ａ〜１８ｄはアイコン画像１９ａ〜１９ｄに対して左斜め下方向に、タッチ検知領域１８ｆ〜１８ｋはアイコン画像１９ｆ〜１９ｋに対して右斜め下方向にそれぞれオフセットされている。また、配置マップＭ４において、タッチ検知領域１８ａ〜１８ｆはアイコン画像１９ａ〜１９ｆに対して左斜め下方向に、タッチ検知領域１８ｈ〜１８ｋはアイコン画像１９ｈ〜１９ｋに対して右斜め下方向にそれぞれオフセットされている。
【００４５】
また、タッチ検知領域１８ｆは左右方向において真ん中に表示されるため、最も親指が届きにくい。そのため、右利き用の配置マップＭ１，Ｍ２では、タッチ検知領域１８ｆを利き手である右手の親指でタッチ操作することを想定して、右側の配置領域４０Ｒに割り振っている。一方、左利き用の配置マップＭ３，Ｍ４では、タッチ検知領域１８ｆを利き手である左手の親指でタッチ操作することを想定して、左側の配置領域４０Ｒに割り振っている。
【００４６】
なお、スタイラスペン２３を用いてタッチパネル１７のタッチ操作を行う場合には、タッチパネル１７に接触する部分を視認し易く、指よりも細いペン先で正確にタッチ操作することができるので、タッチ検知領域１８をオフセットすると逆にタッチミスが生じる虞がある。そのため、図１に示すように、スタイラスペン２３が抜き出された使用可能状態においては、位置設定部３８がアイコン画像１９の表示領域と対応するタッチ検知領域１８が一致したスタイラスペン用の配置マップＭ０を選択する。
【００４７】
次に、配置マップＭに基づくタッチ検知領域１８の設定処理について説明する。カメラ本体１２の電源ボタン１４がオン操作され、カメラ１１が電源オン状態とされると、ＭＰＵ３０は図８に示すタッチ検知領域１８の設定処理を実行する。
【００４８】
始めに、ステップＳ１０において、ＭＰＵ３０が挿抜検知スイッチ２５がオフ状態になっているか否かを判定し、挿抜検知スイッチ２５がオフ状態でスタイラスペン２３が抜き出された使用可能状態になっている場合には、ＹＥＳの判定を行ってステップＳ２０に進む。一方、挿抜検知スイッチ２５がオン状態、すなわちスタイラスペン２３が格納部２４に格納されて使用可能状態になっていない場合には、ＭＰＵ３０がＮＯの判定を行ってステップＳ３０に進む。
【００４９】
ステップＳ２０において、位置設定部３８がスタイラスペン用の配置マップＭ０を選択し、配置マップＭ０に基づいてタッチ検知領域１８を設定して、処理を終了する。一方、ステップＳ３０において、ＭＰＵ３０は利き手に関するユーザ設定値が「右利き」になっているか否かを判定し、「右利き」になっている場合にはＹＥＳの判定を行ってステップＳ４０に進み、ユーザ設定値が「左利き」になっている場合にはＮＯの判定を行ってステップＳ５０に進む。
【００５０】
ステップＳ４０において、ＭＰＵ３０は姿勢センサ３６の出力信号に基づいて、モニタ１６の姿勢が正位置であるか否かを判定する。そして、モニタ１６の姿勢が正位置であった場合にはＭＰＵ３０がＹＥＳの判定を行ってステップＳ６０に進み、モニタ１６の姿勢が縦位置であった場合にはＭＰＵ３０がＮＯの判定を行ってステップＳ７０に進む。
【００５１】
ステップＳ６０において、位置設定部３８は右利き且つ正位置用の配置マップＭ１を選択し、配置マップＭ１に基づいてタッチ検知領域１８を設定して、処理を終了する。一方、ステップＳ７０において、位置設定部３８は右利き且つ縦位置用の配置マップＭ２を選択し、配置マップＭ２に基づいてタッチ検知領域１８を設定して、処理を終了する。
【００５２】
また、ステップＳ５０において、ＭＰＵ３０は姿勢センサ３６の出力信号に基づいて、モニタ１６の姿勢が正位置であるか否かを判定する。そして、モニタ１６の姿勢が正位置であった場合にはＭＰＵ３０がＹＥＳの判定を行ってステップＳ８０に進み、モニタ１６の姿勢が縦位置であった場合にはＭＰＵ３０がＮＯの判定を行ってステップＳ９０に進む。
【００５３】
ステップＳ８０において、位置設定部３８は左利き且つ正位置用の配置マップＭ３を選択し、配置マップＭ３に基づいてタッチ検知領域１８を設定して、処理を終了する。一方、ステップＳ９０において、位置設定部３８は左利き且つ縦位置用の配置マップＭ４を選択し、配置マップＭ４に基づいてタッチ検知領域１８を設定して、処理を終了する。
【００５４】
このように、位置設定部３８が配置マップＭ１〜Ｍ４に基づいてオフセットされたタッチ検知領域１８を設定することで、ユーザが意図する位置を親指で正確にタッチ操作しにくい場合にも、タッチ位置がタッチ検知領域１８から外れて操作が実行されないというタッチミスが発生しにくくなる。また、タッチミスの発生パターンはカメラ本体１２の姿勢などの使用状況によって異なるので、使用状況に応じてタッチ検知領域１８の相対位置が異なる配置マップＭを選択することで、操作性を向上させつつタッチミスの発生を抑制することができる。
【００５５】
そして、ユーザが視認不可能なタッチ検知領域１８の位置を変更する一方で、ユーザが視認可能なアイコン画像１９の位置は変化しないので、ユーザに違和感を覚えさせたり、画面構成のバランスをくずしたりすることなく、操作性を向上することができる。また、アイコン画像１９の表示を変化させなくてすむので、ＭＰＵ３０の負荷の増加を抑制することができる。
【００５６】
なお、カメラ１１の使用途中にユーザにより利き手設定が変更されたり、カメラ本体１２の姿勢が変更されたりした場合には、変更した条件に基づいてタッチ検知領域１８の設定位置を変更するようにすればよい。
【００５７】
以上詳述したようにこの実施形態によれば、以下の効果が得られる。
（１）タッチパネル１７におけるタッチ検知領域１８の位置を設定する位置設定部３８を備えるので、アイコン画像１９の表示領域に対するタッチパネル１７におけるタッチ検知領域１８の相対位置を使用状況に応じて変更することが可能になる。したがって、タッチミスの発生を抑制することができる。
【００５８】
（２）アイコン画像１９の表示領域に対するタッチ検知領域１８の相対位置が異なる複数の配置マップＭのうちから、位置設定部３８が適切な配置マップＭを選択することで、タッチミスが発生しにくいタッチ検知領域１８の配置を速やかに決定することができる。
【００５９】
（３）位置設定部３８がユーザによる使用状況を反映した利き手設定に応じて配置マップＭを選択するので、ユーザ設定に応じてタッチミスが発生しにくいタッチ検知領域１８の配置を速やかに決定することができる。
【００６０】
（４）位置設定部３８がモニタ１６の姿勢を検知する姿勢センサ３６の検知結果に応じて配置マップＭを選択するので、モニタ１６の姿勢に応じてタッチミスが発生しにくいタッチ検知領域１８の配置を速やかに決定することができる。
【００６１】
（５）指に比べて狭い範囲を正確にタッチすることが可能なスタイラスペン２３が使用される場合には、位置設定部３８がアイコン画像１９の表示領域と対応するタッチ検知領域１８とを一致させるので、タッチミスの発生を抑制することができる。
【００６２】
（第２実施形態）
次に、本発明の電子機器を同じく電子カメラ（デジタルカメラ）に具体化した第２実施形態を図９及び図１０に基づいて説明する。なお、第２実施形態のカメラ１１は、タッチ検知領域１８の相対位置を自動設定するための学習モードを備えるものであり、ＲＡＭ３４がタッチパネル１７に対するタッチ位置Ｔ（Ｔｍ，Ｔｎ）の座標値（ｘ，ｙ）を一時的に記憶するタッチ位置記憶手段として機能する。
【００６３】
以下、カメラ１１の学習モードについて説明する。
学習モードの初期画面においては、図９（ａ）に示すように、アイコン画像１９の表示領域の中心位置Ｃｉと、対応するタッチ検知領域１８の中心位置Ｃｔとが一致した状態となっている。この状態でユーザがタッチパネル１７に対して１回目のタッチ操作を行うと、ＲＡＭ３４にそのタッチ位置Ｔｍが記憶される。そして、１回目のタッチ位置Ｔｍが目的のタッチ検知領域１８内であった場合には所望の操作が実行されるが、１回目のタッチ位置Ｔｍが目的のタッチ検知領域１８を外れてしまった場合、操作が実行されないのでユーザはタッチ操作をやり直すことになる。
【００６４】
ここで、ユーザがアイコン画像１９をよく見て注意深くタッチ操作をやり直し、２回目のタッチ位置Ｔｎがタッチ検知領域１８内に入れば所望の操作が実行されるが、ユーザにとっては無意識に行った１回目の方が操作し易かったと考えられる。そこで、学習モードにおいては、やり直しのタッチ操作が行われた場合には、位置設定部３８がＲＡＭ３４に記憶された１回目のタッチ位置Ｔｍのアイコン画像１９の表示領域に対するずれ量に基づいて、図９（ｂ）に示すようにタッチ検知領域１８の相対位置を変更する。
【００６５】
この位置変更は、タッチ検知領域１８の中心位置Ｃｔを、当初一致していたアイコン画像１９の中心位置Ｃｉから修正量Ｆ（Ｘｆ，Ｙｆ）だけ移動させて行う。修正量Ｆ（Ｘｆ，Ｙｆ）は、１回目のタッチ位置Ｔｍ（ｘｍ，ｙｍ）とアイコン画像１９の中心位置Ｃｉ（ｘｃ，ｙｃ）とのずれ量から、Ｘｆ＝ａ×（ｘｍ−ｘｃ）、Ｙｆ＝ａ×（ｙｍ−ｙｃ）と算出される。
【００６６】
ただし、修正量Ｆ（オフセット距離）が大きすぎると、隣接するタッチ検知領域１８と重なったり、逆に誤作動を招いたりする虞がある。そのため、本実施形態においては、タッチ検知領域１８を設定しうる領域をアイコン画像１９の表示領域の周囲に近傍領域４１として設定し、この近傍領域４１内にタッチ検知領域１８が入るように考慮して係数ａ（１＞ａ＞０）を決定する。なお、係数ａはタッチ検知領域１８毎に異なる値を設定してもよい。また、近傍領域４１は、第１実施形態における配置領域４０をタッチ検知領域１８毎に区画したものとしてもよい。
【００６７】
次に、学習モードが設定された場合にＭＰＵ３０が実行するタッチ検知領域自動設定処理を図１０に示す。始めに、ステップＳ１１０において、ＭＰＵ３０はカウント値Ｎを「１」に設定してステップＳ１２０に進む。
【００６８】
ステップＳ１２０において、ＭＰＵ３０は、今回のタッチ位置Ｔｎが１つ目のタッチ検知領域１８（例えばタッチ検知領域１８ａ）内にあるか否かを判定し、タッチ位置Ｔｎがタッチ検知領域１８ａ内にあった場合はステップＳ１３０に進み、タッチ位置Ｔｎがタッチ検知領域１８ａ内になかった場合はステップＳ１４０に進む。
【００６９】
ステップＳ１４０において、ＭＰＵ３０はカウント値Ｎを「１」だけインクリメントしてステップＳ１５０に進む。また、ステップＳ１５０において、ＭＰＵ３０はカウント値Ｎがタッチ検知領域１８の設定数Ｓ（例えば、図１においてはＳ＝１１）よりも多いかを判定し、カウント値Ｎがタッチ検知領域１８の設定数Ｓ以上であればＹＥＳの判定を行ってステップＳ１６０に進む。一方、ＭＰＵ３０はカウント値Ｎがタッチ検知領域１８の設定数Ｓよりも少ない場合には、ＮＯの判定を行ってステップＳ１２０に戻る。
【００７０】
すなわち、１つめのタッチ検知領域１８ａ内にタッチ位置Ｔｎがなかった場合には、ステップＳ１２０に戻って、次のタッチ検知領域１８ｂ内においてタッチ位置Ｔｎの有無を判定する。そして、全てのタッチ検知領域１８ａ〜１８ｇについてタッチ位置Ｔｎの有無を判断すべく、ステップＳ１２０，Ｓ１４０，Ｓ１５０を繰り返し、何れのタッチ検知領域１８内にもタッチ位置Ｔｎがなかった場合には、ステップＳ１６０に進む。
【００７１】
そして、ステップＳ１６０において、ＭＰＵ３０は今回のタッチ位置Ｔｎの座標値（ｘｎ，ｙｎ）を前回のタッチ位置ＴｍとしてＲＡＭ３４に書き込んで、処理を終了する。すなわち、今回のタッチ位置Ｔｎがいずれのタッチ検知領域１８内にもなかった場合には、タッチ操作のやり直しに備えて、今回のタッチ位置Ｔｎを前回のタッチ位置Ｔｍとして記憶させる。
【００７２】
一方、ステップＳ１２０に続くステップＳ１３０において、ＭＰＵ３０は前回のタッチ位置Ｔｍが近傍領域４１内であったか否かを判定し、前回のタッチ位置Ｔｍが近傍領域４１内であった場合には、タッチ検知領域１８の位置を修正するべく、ＹＥＳの判定を行ってステップＳ１７０に進む。すなわち、前回のタッチ位置Ｔｍが近傍領域４１内であった場合には、今回のタッチ操作はやり直して行った２回目のタッチ操作であると判断して、タッチ検知領域１８の位置修正を行う。
【００７３】
ステップＳ１３０において、前回のタッチ位置Ｔｍが近傍領域４１内になかった場合には、ＭＰＵ３０はＮＯの判定を行ってステップＳ１６０に進む。すなわち、前回のタッチ位置Ｔｍが近傍領域４１内になかった場合、今回のタッチ操作はやり直しの２回目ではないと判断して、タッチ検知領域１８の位置修正を行わない。
【００７４】
ステップＳ１３０に続くステップＳ１７０において、位置設定部３８が修正量Ｆ（Ｘｆ，Ｙｆ）を算出し、ステップＳ１８０に進む。続くステップＳ１８０において、位置設定部３８がタッチ検知領域１８をｘ方向（右方向）にＸｆだけずらし、ステップＳ１９０に進む。
【００７５】
ステップＳ１９０において、ＭＰＵ３０はｘ方向にずらしたタッチ検知領域１８が近傍領域４１内にあるか否かを判定し、タッチ検知領域１８が近傍領域４１内になかった場合にはＮＯの判定を行ってステップＳ２００に進み、タッチ検知領域１８が近傍領域４１内にある場合にはＹＥＳの判定を行ってステップＳ２１０に進む。
【００７６】
ステップＳ２００において、位置設定部３８はずらしたタッチ検知領域１８を元の位置に戻すべく、タッチ検知領域１８をｘ方向に−Ｘｆだけずらし、ステップＳ２１０に進む。すなわち、タッチ検知領域１８が近傍領域４１外に設定されると、アイコン画像１９の表示領域とのずれが大きくなって逆に誤作動を招いたり、隣接するタッチ検知領域１８と干渉したりする虞があるため、その方向への修正は行わない。
【００７７】
ステップＳ２１０において、位置設定部３８がタッチ検知領域１８をｙ方向（上方向）にＹｆだけずらし、ステップＳ２２０に進む。続くステップＳ２２０において、ＭＰＵ３０はずらしたタッチ検知領域１８が近傍領域４１内にあるか否かを判定し、タッチ検知領域１８が近傍領域４１内になかった場合にはＮＯの判定を行ってステップＳ２３０に進む。ステップＳ２３０において、位置設定部３８はずらしたタッチ検知領域１８を元の位置に戻すべく、タッチ検知領域１８をｙ方向に−Ｙｆだけずらす。
【００７８】
ステップＳ１３０、ステップＳ２２０又はステップＳ２３０に続くステップＳ１６０において、ＭＰＵ３０は前回のタッチ位置Ｔｍの座標値（ｘｍ，ｙｍ）を今回のタッチ位置Ｔｎの座標値（ｘｎ，ｙｎ）に書き換えて学習処理を終了する。
【００７９】
このように、ユーザの操作履歴に基づいて、位置設定部３８がタッチ検知領域１８を移動させてアイコン画像１９に対してオフセット配置することで、ユーザに意識させることなくタッチ検知領域１８の位置を修正することができる。また、ユーザがタッチ操作に慣れるのにつれてタッチ操作のくせ等が変化した場合にも、随時操作し易いタッチ検知領域１８の位置を決定することができる。更に、任意に修正量Ｆを設定することができるので、多様な使用状況やユーザ特性に適するタッチ検知領域１８の位置を決定することができる。
【００８０】
以上詳述したようにこの実施形態によれば、以下の効果が得られる。
（６）ＭＰＵ３０は、ＲＡＭ３４に記憶されたタッチ位置Ｔｍの、アイコン画像１９の表示領域に対するずれ量に基づいてタッチ検知領域１８の相対位置を変更するので、ユーザの特性やくせに応じたタッチ検知領域１８を自動的に設定することができる。
【００８１】
前記実施形態は上記に限定されず、以下の態様に変更することもできる。
・学習モードによるタッチ検知領域１８の位置修正は、特定のモード設定時に実行される場合に限らず、常時実行されるようにしてもよい。この場合には、１回目のタッチ位置Ｔｍを記憶した後、所定時間内に２回目のタッチ位置Ｔｎが記憶されなかった場合には、記憶した位置情報をクリアする。これにより、操作を意図しない接触に基づいて位置修正が行われることが回避されるので、タッチ検知領域１８の相対位置を継続的に自動設定することができる。
【００８２】
・操作用表示要素はアイコン画像１９に限らず、文字や線などでもよい。
・タッチ検知領域１８の位置修正は、タッチ検知領域１８の中心位置Ｃｔをずらすのに限らず、タッチ検知領域１８の形状や大きさを変化させてもよい。
【００８３】
・右利き設定の場合には配置領域４０Ｒのみ、左利き設定の場合には配置領域４０Ｌ内のみにアイコン画像１９を配置するようにしてもよい。
・モニタ１６の姿勢に応じた配置マップＭを備えなくてもよい。
【００８４】
・利き手設定に応じた配置マップＭを備えなくてもよい。
・配置マップＭはユーザの利き手やモニタ１６の姿勢に対応するものに限らない。例えば、筐体及びモニタの形状や電子機器の特性に応じて、片手で操作することを想定した配置マップＭや親指以外の指で操作することを想定した配置マップＭ、手の大きさを考慮してずれ量を変化させた配置マップＭなどを用意してもよい。
【００８５】
・操作する指（例えば人差し指や親指など）や画面に応じて、タッチ検知領域１８の大きさや形態、修正量Ｆ等を変化させてもよい。例えば、撮影を行う画面では親指でタッチ操作することを想定してタッチ検知領域１８のオフセット量を大きくし、撮影画像を確認する画面では人差し指でタッチ操作を行うことを想定してタッチ検知領域１８のオフセット量を小さくするようにしてもよい。
【００８６】
・１つの配置マップＭにおいて、タッチ検知領域１８毎にアイコン画像１９に対する相対位置を変化させるようにしてもよい。
・配置マップ記憶手段として機能する専用のメモリを備えるようにしてもよい。
【００８７】
・タッチ位置記憶手段として機能する専用のメモリを備えるようにしてもよい。
・ユーザの操作履歴に基づいて、配置マップＭを選択するようにしてもよい。
・電子機器は、コンパクトカメラや一眼レフカメラなどの電子カメラに限定されない。例えばビデオカメラ、フォトビューア、携帯電話、ＰＤＡなどでもよい。さらにＤＶＤやブルーレイ（Ｒ）等の画像再生装置、テレビジョン、音楽再生装置等でもよい。
【００８８】
上記実施形態及び変形例から把握できる技術的思想について以下に追記する。
（イ）請求項１乃至５のうちいずれか一項に記載の表示装置において、
着脱可能に設けられたペン型入力装置と、
該ペン型入力装置の脱着を検知する着脱検知手段とを備え、
前記位置設定手段は、前記着脱検知手段が前記ペン型入力装置の脱着を検知した場合には、前記表示領域と前記タッチ検知領域とを一致させることを特徴とする表示装置。
【００８９】
この構成によれば、指に比べて狭い範囲を正確にタッチすることが可能なペン型入力装置が使用される場合には、位置設定手段が表示領域とタッチ検知領域とを一致させるので、タッチミスの発生を抑制することができる。なお、技術的思想（イ）における着脱検知手段は、実施形態における挿抜検知スイッチ２５によって実現される。
【符号の説明】
【００９０】
１１…電子機器としてのデジタルカメラ、１２…表示装置として機能するカメラ本体、１６…表示部としてのモニタ、１７…タッチセンサとしてのタッチパネル、１８，１８ａ〜１８ｇ…タッチ検知領域、１９，１９ａ〜１９ｇ…操作用表示要素としてのアイコン画像、２３…ペン型入力装置としてのスタイラスペン、２５…使用可能状態検知手段としての挿抜検知スイッチ、３０…使用状況設定手段として機能するＭＰＵ、３３…配置マップ記憶手段として機能する不揮発性メモリ、３４…タッチ位置記憶手段として機能するＲＡＭ、３６…姿勢センサ、３８…位置設定手段としての位置設定部、Ｍ，Ｍ０，Ｍ１，Ｍ２，Ｍ３，Ｍ４…配置マップ、Ｔ，Ｔｍ，Ｔｎ…タッチ位置。
【図１】
2011138185.tif 000003
【図２】
2011138185.tif 000004
【図３】
2011138185.tif 000005
【図４】
2011138185.tif 000006
【図５】
2011138185.tif 000007
【図６】
2011138185.tif 000008
【図７】
2011138185.tif 000009
【図８】
2011138185.tif 000010
【図９】
2011138185.tif 000011
【図１０】
2011138185.tif 000012